(57)【要約】【課題】メータユニットをコンパクトにできる止水栓ユニットを提供すること。【解決手段】止水栓ユニット１１は、第１流通口２５と第２流通口２６とを備える弁箱２７、弁箱２７内に配置されたボール弁体２８、弁箱２７に固定されてボール弁体２８、第１流通口２５との間に位置する第１ボールシート２９、および、弁箱２７に固定されてボール弁体２８と第２流体流通口との間に位置する第２ボールシート３０を有するボール止水栓部分２１と、第１流通口２５および第２流通口２６を通過する弁箱２７の軸線Ｌ０と交差する方向に延びる管軸Ｔを有する管部７と、管部７１の内壁面に開口する連通口７２を備える管継手部分２２と、を有する。連通口７２と第１流通口２５とは連通し、弁箱２７において第１流通口２５と第１ボールシート８０の第１固定部４２が形成されている弁箱部分（第１弁箱構成部材３５）と管部７１とは、一体の成型品である。【選択図】図４
2018204277.tif 000002
【特許請求の範囲】
【請求項１】
第１流体流通口と当該第１流体流通口と同軸の第２流体流通口とを備える弁箱、前記弁箱内に配置されたボール弁体、前記弁箱に固定されて前記ボール弁体と前記第１流体流通口との間に位置する第１弁座、および、前記弁箱に固定されて前記ボール弁体と前記第２流体流通口との間に位置する第２弁座を有するボール止水栓部分と、
前記第１流体流通口および前記第２流体流通口を通過する前記弁箱の軸線と交差する方向に延びる管軸を有する管部、および、前記管部の内壁面に開口する連通口を備える管継手部分と、を有し、
前記連通口と前記第１流体流通口とは、連通し、
前記弁箱において前記第１流体流通口および前記第１弁座の固定部が形成されている弁箱部分と前記管部とは、一体の成型品であることを特徴とする止水栓ユニット。
【請求項２】
前記第１流体流通口の内径寸法は、前記管部の内径寸法とは異なることを特徴とする請求項１に記載の止水栓ユニット。
【請求項３】
前記管軸と前記軸線とは垂直に交わっており、
前記管軸と前記第１弁座との間の第１距離は、前記管部の内径寸法よりも短いことを特徴とする請求項２に記載の止水栓ユニット。
【請求項４】
前記管軸と前記軸線とは垂直に交わっており、
前記管軸と前記第２弁座との間の第２距離は、前記管部の内径寸法の２倍よりも短いことを特徴とする請求項２に記載の止水栓ユニット。
【請求項５】
前記管継手部分は、前記管部における前記管軸方向の一方の端が封鎖されていることを特徴とする請求項１から４のうちのいずれか一項に記載の止水栓ユニット。
【請求項６】
流体流入口、第１流体流出口、および、第２流体流出口を備えるチーズと、
請求項１から５のうちのいずれか一項に記載の止水栓ユニットであって、前記管部が前記第１流体流出口に接続された第１止水栓ユニットと、
請求項１から５のうちのいずれか一項に記載の止水栓ユニットであって、前記管部が前記第２流体流出口に接続された第２止水栓ユニットと、を有し、
前記第１止水栓ユニットの前記第２流体流通口の下流側に第１流量メータが着脱可能に接続され、前記第２止水栓ユニットの前記第２流体流通口の下流側に第２流量メータが着脱可能に接続されることを特徴とするメータユニット。
【請求項７】
前記第１止水栓ユニットにおける前記弁箱の前記軸線方向で当該第１止水栓ユニットに所定の間隔を開けて対向する第１逆止弁と、
前記第２止水栓ユニットにおける前記弁箱の前記軸線方向で当該第２止水栓ユニットに所定の間隔を開けて対向する第２逆止弁と、
前記第１止水栓ユニット、前記第２止水栓ユニット、前記第１逆止弁、および、前記第２逆止弁が固定されたベースと、を有し、
前記第１止水栓ユニットと前記第１逆止弁との間に前記第１流量メータが配置され、前記第２止水栓ユニットと前記第２逆止弁との間に前記第２流量メータが配置されることを特徴とする請求項６に記載のメータユニット。
【請求項８】
請求項１から４のうちのいずれか一項に記載の止水栓ユニットと、
請求項１から５のうちのいずれか一項に記載の止水栓ユニットであって、前記管部が前記止水栓ユニットの前記管部に接続された第２の止水栓ユニットと、を有し、
前記止水栓ユニットの前記管軸における前記第２の止水栓ユニットとは反対側から流体
が流入し、前記止水栓ユニットの前記第２流体流通口の下流側に第１の流量メータが着脱可能に接続され、前記第２止水栓ユニットの前記第２流体流通口の下流側に第２の流量メータが着脱可能に接続されることを特徴とするメータユニット。
【請求項９】
請求項１から４のうちのいずれか一項に記載の止水栓ユニットを有し、
前記止水栓ユニットの前記第２流体流通口から流体が流入し、前記管軸の前記管軸方向の一方の端部開口の下流側に第１の流量メータが着脱可能に接続され、他方の端部開口の下流側に第２の流量メータが着脱可能に接続されることを特徴とするメータユニット。
【発明の詳細な説明】
【技術分野】
【０００１】
本発明は、ボール止水栓と管継手とを備える止水栓ユニットに関する。また、止水栓ユニットに流量メータが着脱可能に接続されるメータユニットに関する。
【背景技術】
【０００２】
配水管から家屋などの建造物に水道水を引き込む水道管の上流端に設置されるメータユニトは、特許文献１に記載されている。同文献のメータユニットは、配水管を流通する水を複数の水道管に分岐させる分岐配管と、分岐配管に接続される複数のユニット本体と、分岐配管および複数のユニット本体を載置するベースとを備える。ユニット本体は、ボール止水栓、水道メータおよび逆止弁を備える。ボール止水栓は分岐配管に接続されており、水道メータは、ボール止水栓と逆止弁との間に着脱可能に接続されている。
【０００３】
図７に示すように、分岐配管１０１は、配水管に接続される流入管部分１０２と、各ｙニット本体が接続される複数の支流管部分１０３と、流入管部分１０２と複数の支流管部分１０３との間を接続する接続管部分１０４と、を備える。流入管部分１０２は接続管部分１０４の管軸方向の中央部分から当該接続管部分１０４の管軸と直交する方向に突出している。複数の支流管部分１０３は、接続管部分１０４の接続管部分１０４の管軸方向で等間隔に設けられており、それぞれ接続管部分１０４の管軸と直交する方向に突出している。各支流管部分１０３の管軸は互いに平行であり、各支流管部分１０３が接続管部分１０４から突出する突出方向は、流入管部分１０２が接続管部分１０４から突出する突出方向とは反対方向である。複数のユニット本体の各ボール止水栓は、それぞれ支流管部分１０３の先端（下流側）に接続される。ユニット本体を構成するボール止水栓、水道メータおよび逆止弁は、各支流管部分１０３の管軸に沿って配列される。
【先行技術文献】
【特許文献】
【０００４】
【特許文献１】特開２０１１−２１４３９４号公報
【発明の概要】
【発明が解決しようとする課題】
【０００５】
分岐配管の複数の支流管部分の管軸が互いに平行に延びており、ボール止水栓、水道メータおよび逆止弁が各支流管部分の管軸に沿って配列されていれば、各支流管部分に接続されるボール止水栓、水道メータおよび逆止弁が並列に配置される。従って、メータユニットを、各支流管部分の管軸と直交する方向で、比較的、コンパクトに構成することができる。ここで、メータユニットには、その設置スペースを少なくするために、各支流管部分の管軸の方向や、流入管部分の管軸の方向においても、コンパクトにすることが求められている。
【０００６】
本発明の課題は、このような点に鑑みて、メータユニットをコンパクトにできる止水栓ユニットを提供することにある。また、かかる止水栓ユニットを備えるメータユニットを提供することにある。
【課題を解決するための手段】
【０００７】
上記の課題を解決するために、本発明の止水栓ユニットは、第１流体流通口と当該第１流体流通口と同軸の第２流体流通口とを備える弁箱、前記弁箱内に配置されたボール弁体、前記弁箱に固定されて前記ボール弁体と前記第１流体流通口との間に位置する第１弁座、および、前記弁箱に固定されて前記ボール弁体と前記第２流体流通口との間に位置する
第２弁座を有するボール止水栓部分と、前記第１流体流通口および前記第２流体流通口を通過する前記弁箱の軸線と交差する方向に延びる管軸を有する管部、および、前記管部の内壁面に開口する連通口を備える管継手部分と、を有し、前記連通口と前記第１流体流通口とは、連通し、前記弁箱において前記第１流体流通口および前記第１弁座の固定部が形成されている弁箱部分と前記管部とは、一体の成型品であることを特徴とする。
【０００８】
本発明の止水栓ユニットは、ボール止水栓部分の弁箱において第１流体流通口および第１弁座の固定部が形成されている弁箱部分と、管継手部分の管部とが一体の成形品である。従って、弁箱と管部とを弁箱の軸線方向で接近させることができる。よって、ボール止水栓部分と管継手部分とを備える止水栓ユニットを弁箱の軸線方向で短縮化できる。ここで、止水栓ユニットを、複数の支流管部分を備える分岐配管と、各支流管部分に接続される複数のボール止水栓とを備えるメータユニットに採用した場合には、分岐配管における接続管部分の一部分、一本の支流管部分、および、当該支流管部分の先端に接続されるボール止水栓を止水栓ユニットに置き換えことができ、接続管部分（管部）とボール止水栓（弁箱）との間を接近させることができる。また、この場合には、ボール止水栓部分の弁箱が分岐配管の支流管部分として機能するので、支流管部分を省略できる分だけ、メータユニットを止水栓ユニットを弁箱の軸線方向で短縮化できる。
【０００９】
本発明において、前記第１流体流通口の内径寸法は、前記管部の内径寸法とは異なるものとすることができる。例えば、第１流体流通口の内径寸法を管部の内径寸法よりも短くすれば、管部を流れる流体を弁箱の側に分岐させるのに適する。また、例えば、第１流体流通口の内径寸法を管部の内径寸法よりも長くすれば、第２液体流通口から流入する流体を管部の側で分岐させるのに適する。
【００１０】
本発明において、前記管軸と前記軸線とは垂直に交わっており、前記管軸と前記第１弁座との間の第１距離は、前記管部の内径寸法よりも短いことが望ましい。このようにすれば、管部と弁箱とが接近するので、止水栓ユニットを弁箱の軸線方向で短縮化しやすい。
【００１１】
本発明において、前記管軸と前記軸線とは垂直に交わっており、前記管軸と前記第２弁座との間の第２距離は、前記管部の内径寸法の２倍よりも短いことが望ましい。このようにすれば、弁箱が管部から離間することを抑制できるので、止水栓ユニットを弁箱の軸線方向で短縮化しやすい。
【００１２】
本発明において、前記管継手部分は、前記管部における前記管軸方向の一方の端が封鎖されているものとすることができる。このようにすれば、止水栓ユニットを、管部から弁箱を経由する屈曲する流路を備えるものとすることができる。
【００１３】
次に、本発明のメータユニットは、流体流入口、第１流体流出口、および、第２流体流出口を備えるチーズと、上記の止水栓ユニットであって、前記管部が前記第１流体流出口に接続された第１止水栓ユニットと、上記の止水栓ユニットであって、前記管部が前記第２流体流出口に接続された第２止水栓ユニットと、を有し、前記第１止水栓ユニットの前記第２流体流通口の下流側に第１流量メータが着脱可能に接続され、前記第２止水栓ユニットの前記第２流体流通口の下流側に第２流量メータが着脱可能に接続されることを特徴とする。
【００１４】
本発明のメータユニットでは、チーズ、第１止水栓ユニットの管部、第２止水栓ユニットの管部、および、各止水栓ユニットのボール止水栓部分の弁箱が、チーズの流体流入口から流入する流体を分岐させる分岐配管を構成する。すなわち、分岐配管は、配水管に接続される流入管部分と、複数の支流管部分と、流入管部分と複数の支流管部分との間を接続する接続管部分とを備えるものであるが、本発明では、チーズにおいて流体流入口が設
けられている流路部分が分岐配管における流入管部分として機能し、チーズにおける第１流体流出口と第２流体流出口との間の流路部分および各止水栓ユニットの管継手部分の管部が分岐配管における接続管部分として機能し、各止水栓ユニットのボール止水栓部分の弁箱が分岐配管における各支流管部分として機能する。ここで、第１止水栓ユニットおよび第２止水栓ユニットでは、管部と弁箱との間を接近させることが容易である。従って、メータニットを弁箱の軸線方向（分岐配管における支流管部分の管軸方向）で短縮化できる。また、ボール止水栓部分の弁箱が分岐配管の支流管部分として機能するので、支流管部分を省略できる分だけ、メータユニットを弁箱の軸線方向で短縮化できる。
【００１５】
本発明において、前記第１止水栓ユニットにおける前記弁箱の前記軸線方向で当該第１止水栓ユニットに所定の間隔を開けて対向する第１逆止弁と、前記第２止水栓ユニットにおける前記弁箱の前記軸線方向で当該第２止水栓ユニットに所定の間隔を開けて対向する第２逆止弁と、前記第１止水栓ユニット、前記第２止水栓ユニット、前記第１逆止弁、および、前記第２逆止弁が固定されたベースと、を有し、前記第１止水栓ユニットと前記第１逆止弁との間に前記第１流量メータが配置され、前記第２止水栓ユニットと前記第２逆止弁との間に前記第２流量メータが配置されるものとすることができる。このようにすれば、止水栓ユニットと逆止弁との間において流量メータが着脱可能に接続されるメータユニットを構成できる。
【００１６】
次に、本発明の別の形態のメータユニットは、上記の止水栓ユニットと、上記の止水栓ユニットであって、前記管部が前記止水栓ユニットの前記管部に接続された第２の止水栓ユニットと、を有し、前記止水栓ユニットの前記管軸における前記第２の止水栓ユニットとは反対側から流体が流入し、前記止水栓ユニットの前記第２流体流通口の下流側に第１の流量メータが着脱可能に接続され、前記第２止水栓ユニットの前記第２流体流通口の下流側に第２の流量メータが着脱可能に接続されることを特徴とする。
【００１７】
本発明のメータユニットでは、止水栓ユニットの管部、第２の止水栓ユニットの管部、および、各止水栓ユニットのボール止水栓部分の弁箱が、止水栓ユニットの管軸における第２の止水栓ユニットとは反対側から流入する流体を分岐させる分岐配管を構成する。すなわち、分岐配管は、配水管に接続される流入管部分と、複数の支流管部分と、流入管部分と複数の支流管部分との間を接続する接続管部分とを備えるものであるが、本発明では、止水栓ユニットの管継手部分の管部の一方の端部分が分岐配管における流入管部分として機能し、各止水栓ユニットの管継手部分の管部が分岐配管における接続管部分として機能し、各止水栓ユニットのボール止水栓部分の弁箱が分岐配管における各支流管部分として機能する。ここで、止水栓ユニットおよび第２の止水栓ユニットでは、管部と弁箱との間を接近させることが容易である。従って、メータニットを弁箱の軸線方向（分岐配管における支流管部分の管軸方向）で短縮化できる。また、ボール止水栓部分の弁箱が分岐配管の支流管部分として機能するので、支流管部分を省略できる分だけ、メータユニットを支流管部分の管軸方向で短縮化できる。
【００１８】
さらに、本発明の別の形態のメータユニットは、上記の止水栓ユニットを有し、前記止水栓ユニットの前記第２流体流通口から流体が流入し、前記管軸の前記管軸方向の一方の端部開口の下流側に第１の流量メータが着脱可能に接続され、他方の端部開口の下流側に第２の流量メータが着脱可能に接続されることを特徴とする。
【００１９】
本発明のメータユニットでは、止水栓ユニットが分岐配管の機能を果たす。すなわち、分岐配管は、配水管に接続される流入管部分と、複数の支流管部分と、流入管部分と複数の支流管部分との間を接続する接続管部分とを備えるものであるが、本発明では、止水栓ユニットのボール止水栓部分の弁箱が分岐配管における流入管部分として機能し、管継手部分の管部が接続管部分および支流管部分として機能する。ここで、止水栓ユニットでは
、管部と弁箱との間を接近させることが容易である。従って、メータニットを弁箱の軸線方向（分岐配管における流入管部分の管軸方向）で短縮化できる。
【発明の効果】
【００２０】
本発明の止水栓ユニットは、ボール止水栓部分においてボール弁体が収容された弁箱の弁箱部分と管継手部分の管部とが一体の成形品である。従って、弁箱と管部とを弁箱の軸線方向で接近させて、ボール止水栓部分と管継手部分とを備える止水栓ユニットを弁箱の軸線方向で短縮化できる。
【００２１】
また、本発明のメータユニットでは、各止水栓ユニットの管継手部分の管部が分岐配管における接続管部分として機能し、各止水栓ユニットのボール止水栓部分の弁箱が分岐配管における各支流管部分として機能する。ここで、各止水栓ユニットでは、管部と弁箱との間を接近させることが容易である。また、ボール止水栓部分の弁箱が分岐配管の支流管部分として機能するので、支流管部分を省略できる。よって、メータユニットを短縮化できる。
【００２２】
さらに、本発明の別の形態のメータユニットでは、止水栓ユニットのボール止水栓部分の弁箱が分岐配管における流入管部分として機能し、管継手部分の管部が接続管部分および支流管部分として機能する。ここで、止水栓ユニットでは、管部と弁箱との間を接近させることが容易である。従って、メータニットを短縮化できる。
【図面の簡単な説明】
【００２３】
【図１】本発明を適用した実施例１の水道メータユニットの斜視図である。
【図２】水道メータユニットの内部ユニットの斜視図および平面図である。
【図３】内部ユニットを止水栓ユニットの弁箱の軸線に沿って切断した断面図である。
【図４】止水栓ユニットの説明図である。
【図５】実施例２の水道メータユニットの内部ユニットの斜視図である。
【図６】実施例３の水道メータユニットの説明図である。
【図７】分岐配管の説明図である。
【発明を実施するための形態】
【００２４】
以下に、図面を参照して、本発明の実施の形態である止水栓ユニットおよび水道メータユニットを説明する。
【００２５】
（実施例１）
図１は本発明を適用した水道メータユニットの斜視図である。図２（ａ）は水道メータユニットの内部ユニットの斜視図であり、図２（ｂ）は内部ユニットの平面図である。本例の水道メータユニット１（メータユニット）は、不図示の配水管から家屋などの建造物に水道水を引き込む水道管２の上流端に設置される。図１および図２に示すように、水道メータユニット１は、流入口５（流体流入口）、第１流出口６（第１流体流出口）および第２流出口７（第２流体流出口）を備えるチーズ８と、チーズ８の第１流出口６の側に配列された２つの止水栓ユニット１１（１）、１１（２）と、チーズ８の第２流出口７の側に配列された２つの止水栓ユニット１１（３）、１１（４）とを備える。また、水道メータユニット１は、各止水栓ユニット１１に接続管１２を介して接続された水道メータ１３（流量メータ）と逆止弁１４とを備える。水道メータ１３は、止水栓ユニット１１と逆止弁１４との間において、着脱可能とされている。
【００２６】
さらに、水道メータユニット１は、チーズ８、４つの止水栓ユニット１１、４つの水道メータ１３、および、４つの逆止弁１４を載置するベース１５を備える。ベース１５はトレー１６と、トレー１６の内部に設置された板状のフレーム１７とを備える。チーズ８、
４つの止水栓ユニット１１、および、４つの逆止弁１４はフレーム１７に固定されている。チーズ８、４つの止水栓ユニット１１、４つの逆止弁１４、および、フレーム１７は、トレー１６の内側に載置される内部ユニット１９を構成している。
【００２７】
以下の説明では、互いに直交する３方向をＸ軸方向、Ｙ軸方向、Ｚ軸方向とする。Ｘ軸方向は、チーズ８を間に挟んで配列された４つの止水栓ユニット１１の配列方向であり、その一方側を−Ｘ方向、他方側を＋Ｘ方向とする。Ｙ軸方向は、止水栓ユニット１１、水道メータ１３および逆止弁１４の配列方向であり、止水栓ユニット１１が位置する側を−Ｙ方向、逆止弁１４が位置する側を＋Ｙ方向とする。Ｚ軸方向は上下方向であり、下方を−Ｚ方向、上方を＋Ｚ方向とする。
【００２８】
チーズ８は、その流入口５が−Ｙ方向に向けられた姿勢で配水管に接続される。各逆止弁１４には建造物に引き込まれる４本の水道管２にそれぞれ接続される。配水管からチーズ８に流入する水は、各止水栓ユニット１１を流通する間に４本の支流に分岐する。４本の支流は、互いに平行であり、各支流を流れる水は水道メータ１３および逆止弁１４を経由して４本の水道管２にそれぞれ流入する。図１において、矢印は水の流通方向である。
【００２９】
（止水栓ユニット）
図３は内部ユニット１９を図２（ｂ）のＡ−Ａ線で切断した断面図である。図４（ａ）は止水栓ユニット１１の部分断面図であり、図４（ｂ）は止水栓ユニット１１および接続管１２の断面図である。なお、各止水栓ユニット１１は、それぞれ対応する構造を備えるので、＋Ｘ方向の端に位置する止水栓ユニット１１（２）について説明する。
【００３０】
図３に示すように、止水栓ユニット１１は、ボール止水栓部分２１と管継手部分２２とを有する。図４に示すように、ボール止水栓部分２１は、第１流通口２５（第１流体流通口）と当該第１流通口２５と同軸の第２流通口２６（第２流体流通口）を備える弁箱２７、弁箱２７内に配置されたボール弁体２８、弁箱２７に固定されてボール弁体２８と第１流通口２５との間に位置する環状の第１ボールシート２９（第１弁座）、および、弁箱２７に固定されてボール弁体２８と第２流通口２６との間に位置する第２ボールシート３０（第２弁座）とを備える。第１流通口２５は第２流通口２６の−Ｙ方向の側に位置する。第１流通口２５と第２流通口２６とは同一の内径寸法を備える。第１流通口２５の中心および第２流通口２６の中心を通過する弁箱２７の軸線Ｌ０はＹ軸方向に延びる。第１ボールシート２９および第２ボールシート３０は、第１流通口２５および第２流通口２６と同軸に配置されている。
【００３１】
図４（ｂ）に示すように、ボール弁体２８はその中心を貫通する貫通流路３１を備える。ボール弁体２８にはＺ軸方向に延びる回転操作用軸部材３２が連結されている。回転操作用軸部材３２の軸線はボール弁体２８の中心を通過する。また、回転操作用軸部材３２の軸線Ｌ１は貫通流路３１と直交する。回転操作用軸部材３２は、その軸線Ｌ１回りに回転可能な状態で弁箱２７に支持されている。回転操作用軸部材３２の＋Ｚ方向の端部分には、回転操作用軸部材３２を操作するための操作用摘み３３が接続されている。操作用摘み３３を回転させると回転操作用軸部材３２が回転して、弁箱２７内でボール弁体２８が回転する。これにより、ボール弁体２８の貫通流路３１がＹ軸方向に沿った状態となるとボール止水栓部分２１は開状態となり、弁箱２７内を水が流通する。また、ボール弁体２８の貫通流路３１がＸ軸方向に沿った状態となると、ボール止水栓部分２１は閉状態となり、弁箱２７内を水が流通不能となる。
【００３２】
弁箱２７は、第１弁箱構成部材３５（弁箱部分）と第１弁箱構成部材３５に＋Ｙ方向から接続された第２弁箱構成部材３６の２部材から構成されている。第１弁箱構成部材３５は、第１流通口２５と、＋Ｙ方向の側から−Ｙ方向に側に向かって窪む凹部４１と、第１
ボールシート２９が固定される第１固定部４２と、回転操作用軸部材３２を回転可能に支持する支持部４３と、を備える。
【００３３】
第１流通口２５は凹部４１の−Ｙ方向の内壁面に開口している。第１固定部４２は凹部４１の−Ｙ方向の内壁面において、第１流通口２５の外周側に形成された環状段部４４である。環状段部４４は、＋Ｙ方向を向く円環状面４４ａと円環状面４４ａの外周縁から＋Ｙ方向に延びる環状壁４４ｂとを備える。第１ボールシート２９は環状壁４４ｂの内周側に挿入されて円環状面４４ａに当接した状態で第１弁箱構成部材３５に固定される。支持部４３は、第１弁箱構成部材３５をＺ軸方向に貫通する貫通穴４７を備える。貫通穴４７の凹部４１の＋Ｚ方向の内壁面に開口する。回転操作用軸部材３２は、＋Ｚ方向から貫通穴４７を貫通して、凹部４１内に配置されたボール弁体２８に接続されている。
【００３４】
第２弁箱構成部材３６は、Ｚ軸方向に延びる筒部５１を備える。筒部５１は、−Ｙ方向の端部分が第１弁箱構成部材３５の凹部４１に挿入されて第１弁箱構成部材３５に接続される。筒部５１の内周面のＹ軸方向の途中位置には、内周側に突出する内側環状突部５２が設けられている。内側環状突部５２の内周面は弁箱２７の第２流通口２６を規定する。内側環状突部５２において−Ｙ方向を向く円環状面５２ａと、筒部５１の内周面において環状突部に−Ｙ方向で隣接する内周面部分５１ａは、第２ボールシート３０が固定される第２固定部５３である。第２ボールシート３０は筒部５１の内周面部分５１ａの内周側において内側環状突部５２の円環状面５２ａに当接した状態で第２弁箱構成部材３６に固定されている。また、筒部５１は、＋Ｙ方向の端部分に接続管１２を接続するための接続機構５５を備える。接続機構５５は、筒部５１の端部分の外周面に設けられた雄ネジ５６と、内周面に雄ネジ５６と螺合する雌ネジ５７ａを備える袋ナット５７とを備える。
【００３５】
ここで、接続管１２は、−Ｙ方向の端部分に外側環状突部６１を備える。接続管１２において外側環状突部６１よりも−Ｙ方向の側の部分は、筒部５１に挿入される挿入部分１２ａである。挿入部分１２ａの外周面には環状凹部６２が設けられており、環状凹部６２にはＯリング６３が取り付けられている。接続管１２は、挿入部分１２ａが筒部５１に挿入され、外側環状突部６１がＹ軸方向で筒部５１の端面と袋ナット５７との間に挟まれることにより、止水栓ユニット１１に接続される。Ｏリング６３は筒部５１と接続管１２の挿入部分１２ａとの間で弾性変形してこれらの間を液密にシールする。また、接続管１２は、＋Ｙ方向の端部分に水道メータ１３が着脱可能に接続される水道メータ接続機構６４を備える。水道メータ接続機構６４は、接続管１２の外周面の＋Ｙ方向の端から外周側に突出する環状のストッパ部６５と、接続管１２の外周側にスライド可能に取り付けられた袋ナット６６とを備える。ストッパ部６５は袋ナット６６が＋Ｙ方向に脱落することを防止する。袋ナット６６の内周面には、水道メータ１３における流入側の接続管部分の外周面に設けられた雄ネジに螺合可能な雌ネジ６６ａが形成されている。
【００３６】
次に、管継手部分２２は、ボール止水栓部分２１の−Ｙ方向の側に位置する。管継手部分２２は、ボール止水栓部分２１の弁箱２７の軸線Ｌ０と直交する方向（Ｘ軸方向）に延びる管軸Ｔを有する管部７１と、管部７１の内壁面に開口する連通口７２を備える。連通口７２は、ボール止水栓部分２１の弁箱２７の第１流通口２５と同軸で、当該第１流通口２５に連通する。連通口７２の内径寸法の第１流通口２５の内径寸法とは同一である。連通口７２および第１流通口２５の内径寸法Ｍ１は、管部７１の内径寸法Ｎ１よりも短い。
【００３７】
図２に示すように、チーズ８に接続された止水栓ユニット１１（１）と止水栓ユニット１１（３）は、管部７１におけるチーズ８の側の端部分にチーズ８を接続するための接続部７３を備え、他方の端部分に他の止水栓ユニット１１の管部７１を接続するための接続部７３を備える。また、Ｘ軸方向の両端に位置する止水栓ユニット１１（２）と止水栓ユニット１１（４）は、管部７１における内側（チーズ８が位置する側）の端部分にそれぞ
れ止水栓ユニット１１（１）、１１（３）の管部７１を接続するための接続部７３を備え、管部７１における外側（チーズ８が位置する側とは反対側）の端は管部７１の開口を封鎖する封鎖部７４を備える。なお、接続部７３は、雄ネジまたは雌ネジを備えるものである。
【００３８】
ここで、弁箱２７を構成する第１弁箱構成部材３５は、管部７１と一体の鋳造品（成型品）である。これにより、管部７１と弁箱２７とを弁箱２７の軸線Ｌ０方向で近接して配置することが可能となっている。本例では、図４（ｂ）に示すように、管部７１の管軸Ｔと第１ボールシート２９との間の第１距離Ｄ１は、管部７１の内径寸法Ｎ１よりも短い。より詳細には、管部７１の管軸Ｔから第１ボールシート２９までの第１距離Ｄ１は、管部７１の内径寸法Ｎ１の１／２と管部７１の厚み寸法Ｓとを合計した合計寸法以下である。これにより、管部７１と弁箱２７とが軸線Ｌ０方向で近接して配置され、本例では、管部７１と弁箱２７とは連続している。従って、止水栓ユニット１１は、弁箱２７の軸線Ｌ０方向で短縮化されている。
【００３９】
また、本例では、管部７１の管軸Ｔと第２ボールシート３０との間の第２距離Ｄ２は、管部７１の内径寸法Ｎ１の２倍よりも短い。これにより、弁箱２７が管部７１から離間してしまうことが回避されているので、止水栓ユニット１１が弁箱２７の軸線Ｌ０方向で短縮化されている。なお、第１距離Ｄ１は、管部７１の管軸Ｔと、第１ボールシート２９を固定する第１固定部４２の円環状面４４ａとの間の距離ということができる。
【００４０】
（逆止弁）
図３に示すように、各逆止弁１４は、各止水栓ユニット１１のボール止水栓部分２１の弁箱２７の軸線Ｌ０方向で止水栓ユニット１１に所定の距離を開けて対峙する位置に配置されている。本例では、所定の距離は、止水栓ユニット１１と逆止弁１４との間に接続管１２および水道メータ１３を接続可能な距離である。
【００４１】
各逆止弁１４は、流入口７５および流出口７６を備える弁箱７７と、弁箱７７から−Ｙ方向に突出する流入側管部７８と、弁箱７７から＋Ｙ方向に突出する流出側管部７９を備える。流入側管部７８は流入口７５と同軸で当該流入口７５に連通する。流出側管部７９は流出口７６と同軸で当該流出口７６に連通する。また、逆止弁１４は、弁箱７７において流入口７５を囲む位置に固定された環状の弁座８０と、弁箱７７内に配置された弁体８１と、弁体８１を弁座８０に向かって付勢するコイルバネなどの付勢部材８２とを備える。逆止弁１４は、流入側管部７８から流出側管部７９に向かう水の流れを許容し、流出側管部７９から流入側管部７８に向かう水の流れを阻止する。すなわち、流入側管部７８から流出側管部７９に水が流れる際には、この水の圧力により、弁体８１が付勢部材８２の付勢力に抗して弁座８０から離間する。これにより、水は流入側管部７８から流出側管部７９に流れる。一方、流出側管部７９から流入側管部７８に向かう水は、弁体８１を弁座８０に押し付けるので、水が流出側管部７９から流入側管部７８に向かって流れることはない。
【００４２】
流入側管部７８の先端部分（−Ｙ方向の端部分）には、水道メータ１３が着脱可能に接続される水道メータ接続機構８４が設けられている。水道メータ接続機構８４は、流入側管部７８の外周面の−Ｙ方向の端から外周側に突出する環状のストッパ部８５と、流入側管部７８の外周側にスライド可能に取り付けられた袋ナット８６と、流入側管部７８と袋ナット８６との間に介在するＯリング８７と、を備える。ストッパ部８５は袋ナット８６が＋Ｙ方向に脱落することを防止する。Ｏリング８７はストッパ部８５の＋Ｙ方向の側に配置されている。袋ナット８６の内周面には、水道メータ１３における流出側の接続管部分の外周面に設けられた雄ネジに螺合可能な雌ネジ８６ａが形成されている。流出側管部７９の先端部分（＋Ｙ方向の端部分）には、建造物内に引き込まれている水道管２を接続
するための接続部８９が設けられている。接続部８９は雄ネジ８９ａを備える。
【００４３】
（ベース）
図１に示すように、ベース１５のフレーム１７は、矩形形状である。チーズ８、各止水栓ユニット１１、および、各逆止弁１４は、ステーおよびボルトを用いてフレーム１７に固定されている。トレー１６は、フレーム１７の−Ｚ方向の側を被う矩形形状の底板部９０と、底板部９０の外周縁から＋Ｚ方向の側に立ち上がる４枚の側板部９１〜９４を備える。４枚の側板部９１〜９４のうち底板部９０の−Ｙ方向の端縁から立ち上がってＸ軸方向に延びる側板部９１は、その＋Ｚ方向の端縁のＸ軸方向の中央部分に、円弧形状の切欠き部９５を備える。切欠き部９５には、チーズ８において流入口５が設けられている筒部分が載置されている。４枚の側板部９１のうち底板部９０の＋Ｙ方向の端縁から立ち上がってＸ軸方向に延びる側板部９２は、その＋Ｚ方向の端縁に円弧形状の切欠き部９６を４つ備える。４つの切欠き部９６は等間隔に設けられている。各切欠き部９６は、逆止弁１４に接続される各水道管２が挿入される。これにより、各水道管２がベース１５（トレー１６）によって支持される。なお、４つの切欠き部９６に逆止弁１４の流出側管部７９が載置されており、各水道管２が、トレー１６の外側で逆止弁１４の流出側管部７９に接続されてもよい。
【００４４】
（作用効果）
本例の水道メータユニット１では、チーズ８、第１止水栓ユニット１１の管部７１、第２止水栓ユニット１１の管部７１、および、各止水栓ユニット１１のボール止水栓部分２１の弁箱２７が、配水管から流入する水を分岐させる分岐配管を構成する。すなわち、分岐配管１０１は、図７に示すように、配水管に接続される流入管部分１０２と、複数の支流管部分１０３と、流入管部分１０２と複数の支流管部分１０３との間を接続する接続管部分１０４とを備えるものであるが、本例の水道メータユニット１では、チーズ８において第１流入口５が設けられている流路部分が分岐配管１０１における流入管部分１０２として機能し、チーズ８における第１流出口６および第２流出口７との間の流路部分および各止水栓ユニット１１の管継手部分２２の管部７１が分岐配管１０１における接続管部分１０４として機能し、各止水栓ユニット１１のボール止水栓部分２１の弁箱２７が分岐配管１０１における各支流管部分１０３として機能する。
【００４５】
ここで、止水栓ユニット１１では、ボール止水栓部分２１の弁箱２７を構成する第１弁箱構成部材３５が管継手部分２２の管部７１と一体に鋳造された一体成形品である。従って、図７の示す分岐配管１０１を用いて、その支流管部分１０３の先端にボール止水栓を接続する場合と比較して、ボール弁体２８が配置される弁箱２７と管部７１とを弁箱２７の軸線Ｌ０方向で接近させることができる。従って、ボール止水栓部分２１と管継手部分２２とを備える止水栓ユニット１１を弁箱２７の軸線Ｌ０方向で短縮化できる。特に、本例では、管部７１の管軸Ｔから第１ボールシート２９までの第１距離Ｄ１が、管部７１の内径寸法Ｎ１の１／２と管部７１の厚み寸法Ｓとを合計した合計寸法以下であり、管部７１と弁箱２７とが連続している。従って、メータニットを弁箱２７の軸線Ｌ０方向（分岐配管１０１における支流管部分１０３の管軸方向）で短縮化できる。また、ボール止水栓部分２１の弁箱２７が分岐配管１０１の支流管部分１０３として機能するので、支流管部分１０３を省略できる分だけ、水道メータユニット１を短縮化できる。
【００４６】
また、本例では、止水栓ユニット１１の第１流通口２５の内径寸法Ｍ１が管部７１の内径寸法Ｎ１よりも小さい。従って、複数の止水栓ユニット１１を用いて構成した分岐配管１０１は、管部７１の側から流入する水を弁箱２７の側に分岐させるのに適している。
【００４７】
（変形例）
上記の例では、水道メータユニット１は４つの止水栓ユニット１１を備えるが、配水管
からの水を分岐させる水道管２の数に合わせて、止水栓ユニット１１の数を増減させることができる。ここで、止水栓ユニット１１は、分岐配管１０１における接続管部分１０４および支流管部分１０３の機能を果たすことができるので、管部７１を連結する止水栓ユニット１１の数を増減させることにより、配水管からの水を分岐させる数を柔軟に変更することができる。
【００４８】
なお、上記の例において、接続管１２を省略することもできる。この場合には、弁箱２７を構成する第２弁箱構成部材３６の筒部５１の＋Ｙ方向の端部分に、水道メータ１３を着脱可能に接続するための接続機構（水道メータ接続機構６４）を備えるものとしてもよい。
【００４９】
（実施例２）
図５は本発明を適用した実施例２の水道メータユニットの説明図である。本例の水道メータユニット１Ａは、上記の水道メータユニット１と対応する構成を備えるので、対応する部分には、同一の符号を付して、その説明を省略する。なお、図６ではベース１５を構成するトレー１６が省略されているが、本例の水道メータユニット１Ａにおいても、上記水道メータユニット１Ａと同様にベース１５が内部ユニット１９を載置するトレー１６を備えるものとすることができる。図５の矢印は水の流通方向を示す。
【００５０】
本例の水道メータユニット１Ａは、配水管に接続される流入管１１１と、流入管１１１に接続された第１止水栓ユニット１１（１）と、第１止水栓ユニット１１（１）に接続された第２止水栓ユニット１１（２）（第２の止水栓ユニット）と、を備える。第１止水栓ユニット１１（１）は、管継手部分２２の管部７１における−Ｘ方向の側が流入管１１１に接続されており、管部７１における＋Ｘ方向の側が第２止水栓ユニット１１（２）の管部７１に接続されている。第２止水栓ユニット１１（２）の管継手部分２２の管部７１において、第１止水栓ユニット１１に接続されている側と反対側は封鎖部７４により封鎖されている。
【００５１】
また、水道メータユニット１Ａは、各止水栓ユニット１１に接続管１２を介して接続された水道メータ１３と逆止弁１４とを備える。水道メータ１３は、止水栓ユニット１１（１）と逆止弁１４との間において、着脱可能とされている。また、水道メータ１３は、止水栓ユニット１１（２）と逆止弁１４との間において、着脱可能とされている。さらに、水道メータユニット１Ａは、流入管１１１、２つの止水栓ユニット１１、２つの水道メータ１３、および、２つの逆止弁１４を載置するフレーム１７を備える。流入管１１１、２つの止水栓ユニット１１、および、２つの逆止弁１４はフレーム１７に固定されている。
【００５２】
本例においても上記の水道メータユニット１と同様の作用、効果を得ることができる。また、本例においても、配水管からの水を分岐させる水道管２の数に合わせて、止水栓ユニット１１の数を増減させることができる。また、接続管１２を省略することもできる。
【００５３】
（実施例３）
図６は本発明を適用した実施例３の形態の水道メータユニット１Ｂの説明図である。図６（ａ）は、水道メータユニット１Ｂを＋Ｚ方向から見た場合の平面図である、図６（ｂ）は、図６（ａ）のＢ−Ｂ線における断面図である。図６の矢印は水の流通方向を示す。なお、本例の水道メータユニット１Ｂは、上記の水道メータユニット１と対応する構成を備えるので、対応する部分には、同一の符号を付して、その説明を省略する。また、図６では水道メータ１３の下流側に接続される逆止弁１４と、ベース１５とが省略されているが、本例の水道メータユニット１Ｂは、上記の水道メータユニット１、１Ａと同様に、水道メータ１３の下流側に接続される水道メータ１３の下流側に接続される逆止弁１４、および、止水栓ユニット１１、水道メータ１３および逆止弁１４が載置されるベース１５を
備えるものとすることができる。この場合、止水栓ユニット１１および逆止弁１４は、ベース１５のフレーム１７に固定され、水道メータ１３は、止水栓ユニット１１と逆止弁１４との間で着脱可能とされる。
【００５４】
本例の水道メータユニット１Ｂは、図６（ａ）に示すように、１つの止水栓ユニット１１と、止水栓ユニット１１の管継手部分２２の管部７１の管軸方向の一方の端部開口にエルボ１１５を介して着脱可能に接続された第１水道メータ１３と、管部７１の管軸方向の他方の端部開口にエルボ１１５を介して着脱可能に接続された第２水道メータ１３と、を備える。止水栓ユニット１１のボール止水栓部分２１の弁箱２７の第２流通口２６は、水の流入口であり、配水管に接続される。ボール止水栓部分２１の弁箱２７の第２流通口２６から流入した水は、管部７１において分岐し、各エルボ１１５を介して、第１水道メータ１３および第２水道メータ１３のそれぞれを流れる。
【００５５】
図６（ｂ）に示すように、本例においても、管部７１の管軸Ｔと第１ボールシート２９との間の第１距離Ｄ１は、管部７１の内径寸法Ｎ１よりも短い。一方、本例では、弁箱２７の第１流通口２５の内径寸法Ｍ１は、管部７１の内径寸法Ｎ１よりも長い。
【００５６】
本例の水道メータユニット１Ｂでは、止水栓ユニット１１およびエルボ１１５が図７に示す分岐配管１０１の機能を果たす。すなわち、止水栓ユニット１１のボール止水栓部分２１の弁箱２７が分岐配管１０１における流入管部分１０２として機能し、管継手部分２２の管部７１が接続管部分１０４として機能し、エルボ１１５が支流管部分１０３として機能する。ここで、止水栓ユニット１１では、ボール止水栓部分２１の弁箱２７を構成する第１弁箱構成部材３５が管継手部分２２の管部７１と一体に鋳造された一体成形品なので、ボール弁体２８が配置される弁箱２７と管部７１とを弁箱２７の軸線Ｌ０方向で接近させることができる。従って、ボール止水栓部分２１と管継手部分２２とを備える止水栓ユニット１１を弁箱２７の軸線Ｌ０方向で短縮化できる。従って、メータニットを弁箱２７の軸線Ｌ０方向（分岐配管１０１における流入管部分１０２の管軸方向）で短縮化できる。
【００５７】
また、本例では、止水栓ユニット１１の第１流通口２５の内径寸法Ｍ１が管部７１の内径寸法Ｎ１よりも大きい。従って、止水栓ユニット１１を用いて構成した分岐配管は、弁箱２７の側から流入する水を管部７１の側で分岐させるのに適している。
【００５８】
さらに、本例は、止水栓ユニット１１を介して２つの水道メータ１３に分岐される水の流れを、１つの止水栓ユニット１１のボール止水栓部分２１により止めることができる。すなわち、本例によれば、配水管からの水を２つの水道管２に分岐させる水道メータユニットにおいて、水道メータ１３の上流側で止水を行うボール止水栓を一つとすることができる。
【００５９】
なお、本例において、エルボ１１５を省略することもできる。この場合には、弁箱２７を構成する第２弁箱構成部材３６の筒部５１の＋Ｙ方向の端部分に、水道メータ１３を着脱可能に接続するための接続機構を備えるものとすることができる。また、この場合には、水道メータ１３における水の流通方向は、止水栓ユニット１１における弁箱２７の軸線Ｌ０と直交する方向となる。
【００６０】
なお、止水栓ユニット１１は、水道メータユニットとは異なる用途にも用いることができることは無論である。
【符号の説明】
【００６１】
１・１Ａ・１Ｂ…水道メータユニット（メータユニット）、２…水道管、５…流入口（流
体流入口）、６…第１流出口（第１流体流出口）、７…第２流出口（第２流体流出口）、８…チーズ、１１・１１（１）〜１１（４）…止水栓ユニット、１２…接続管、１２ａ…挿入部分、１３…水道メータ、１４…逆止弁、１５…ベース、１６…トレー、１７…フレーム、１９…内部ユニット、２１…ボール止水栓部分、２２…管継手部分、２５…第１流通口（第１流体流通口）、２６…第２流通口（第２流体流通口）、２７…弁箱、２７…弁箱、２８…ボール弁体、２９…第１ボールシート（第１弁座）、３０…第２ボールシート（第２弁座）、３１…貫通流路、３２…回転操作用軸部材、３３…操作用摘み、３５…第１弁箱構成部材（弁箱部分）、３６…第２弁箱構成部材、４１…凹部、４２…第１固定部、４３…支持部、４４…環状段部、４４ａ…円環状面、４４ｂ…環状壁、４７…貫通穴、５１…筒部、５１ａ…内周面部分、５２…内側環状突部、５２ａ…円環状面、５３…第２固定部、５５…接続機構、５６…雄ネジ、５７…袋ナット、５７ａ…雌ネジ、５９…接続部、５９ａ…雄ネジ、６１…外側環状突部、６２…環状凹部、６３…Ｏリング、６４…水道メータ接続機構、６５…ストッパ部、６６…袋ナット、６６ａ…雌ネジ、７１…管部、７２…連通口、７３…接続部、７４…封鎖部、７５…流入口、７６…流出口、７７…弁箱、７８…流入側管部、７９…流出側管部、８０…弁座、８１…弁体、８２…付勢部材、８４…水道メータ接続機構、８５…ストッパ部、８６…袋ナット、８６ａ…雌ネジ、８７…Ｏリング、８９…接続部、９０…底板部、９１〜９４…側板部、９５…切欠き部、９６…切欠き部、１０１…分岐配管、１０２…流入管部分、１０３…各支流管部分、１０３…支流管部分、１０４…接続管部分、１１１…流入管、１１５…エルボ、Ｄ１…管部の管軸と第１ボールシートとの間の第１距離、Ｄ２…管部の管軸と第２ボールシートとの間の第２距離、Ｌ０…弁箱の軸線、Ｌ１…回転操作用軸部材の軸線、Ｍ１…弁箱の第１流通口の内径寸法、Ｎ１…管部の内径寸法、Ｓ…管部の厚み寸法、Ｔ…管部の管軸
【図１】
2018204277.tif 000003
【図２】
2018204277.tif 000004
【図３】
2018204277.tif 000005
【図４】
2018204277.tif 000006
【図５】
2018204277.tif 000007
【図６】
2018204277.tif 000008
【図７】
2018204277.tif 000009